(57)【要約】      （修正有）【課題】視覚的な開閉と共に通風状態も選択できる面格子装置を提供する。【解決手段】面格子部は、前記枠体の対向する辺にわたって延出する第１の立桟部１０と第２の立桟部２０が所定の間隔で交互に配されて構成され、第１の立桟部は枠体に沿って相対的に移動可能である第１、第２の遮蔽部１、２からなり、第１の遮蔽部は、枠体に沿った方向に実質的に所定の幅を有する正面遮蔽部１１、正面遮蔽部の一方の側辺から実質的に枠体に垂直な方向に第１の幅で延出する第１の側面遮蔽部１２、２２、３２、４２及び正面遮蔽部の他方の側辺から実質的に枠体に垂直な方向に第１の幅よりも短い第２の幅で延出する第２の側遮蔽部１３、２３、３３、４３からなり、第２の遮蔽部は、第１の遮蔽部と同一の構造であると共に第１の遮蔽部に対して点対称に配置され、第２の立桟部は、第１の立桟部と同一構造で且つ線対称に配され、第３の遮蔽部３と第４の遮蔽部４とを具備する。【選択図】図２
2009057785.tif 000002
【特許請求の範囲】
【請求項１】
異なる２つの空間の境界線に配される枠体と、該枠体内に所定の間隔で複数配される面格子部とによって構成される面格子装置において、
前記面格子部は、前記枠体の対向する辺にわたって延出する第１の立桟部と第２の立桟部が所定の間隔で交互に配されて構成されると共に、
前記第１の立桟部は、枠体に沿って相対的に移動可能である第１の遮蔽部及び第２の遮蔽部からなり、
前記第１の遮蔽部は、枠体に沿った方向に実質的に所定の幅を有する正面遮蔽部、該正面遮蔽部の一方の側辺から実質的に枠体に垂直な方向に第１の幅で延出する第１の側面遮蔽部及び前記正面遮蔽部の他方の側辺から実質的に枠体に垂直な方向に前記第１の幅よりも短い第２の幅で延出する第２の側遮蔽部からなり、
前記第２の遮蔽部は、該第１の遮蔽部と同一の構造であると共に該第１の遮蔽部に対して点対称に配置され、
前記第２の立桟部は、前記第１の立桟部と同一構造で且つ線対称に配され、第１の遮蔽部と線対称である第３の遮蔽部と、前記第２の遮蔽部と線対称である第４の遮蔽部とを具備することを特徴とする面格子装置。
【請求項２】
前記第１の遮蔽部及び第２の遮蔽部且つ第３の遮蔽部及び第４の遮蔽部が、枠体に垂直方向に重なり合うことによって、通風及び視覚的開放状態が達成され、
前記第１の遮蔽部及び第２の遮蔽部且つ第３の遮蔽部及び第４の遮蔽部が相対的に移動し、第１の遮蔽部及び第２の遮蔽部の第１の側面遮蔽部且つ第３の遮蔽部及び第４の遮蔽部のそれぞれの第１の側面遮蔽部が接触すると共に第１の遮蔽部及び第３の遮蔽部のそれぞれの第２の側面遮蔽部且つ第２の遮蔽部及び第４の遮蔽部のそれぞれの第２の側面遮蔽部が当接することによって、通風及び視覚的遮蔽状態が達成され、
前記第１の遮蔽部及び第２の遮蔽部且つ第３の遮蔽部及び第４の遮蔽部が相対的に移動し、第１の遮蔽部及び第３の遮蔽部の第１の側面遮蔽部が接触すると共に、第２の遮蔽部及び第４の遮蔽部の第１の側面遮蔽部が接触するように移動して、それぞれの第２の側面遮蔽部が対峙する場所に所定の開口部を形成することによって、通風開放及び視覚的遮蔽状態が達成されることを特徴とする請求項１記載の面格子装置。
【請求項３】
前記第１の立桟部は、第１の遮蔽部及び第２の遮蔽部の間に、少なくとも１つの第１の中間遮蔽部を有し、該第１の中間遮蔽部は、前記第１の遮蔽部の第２の側面遮蔽部側へ延出する第１の中間側面遮蔽部と、前記第２の遮蔽部の第２の側面遮蔽部側へ延出する第２の中間側面遮蔽部とを具備し、前記第２の立桟部は、前記第１の中間遮蔽部と線対称に配置された第２の中間遮蔽部を第３の遮蔽部及び第４の遮蔽部の間に有することを特徴とする請求項１記載の面格子装置。
【請求項４】
前記第１の遮蔽部、第１の中間遮蔽部及び第２の遮蔽部且つ第３の遮蔽部、第２の中間遮蔽部及び第４の遮蔽部が、枠体に垂直方向に重なり合うことによって、通風及び視覚的開放状態が達成され、
前記第１の遮蔽部、第１の中間遮蔽部及び第２の遮蔽部且つ第３の遮蔽部、第２の中間遮蔽部及び第４の遮蔽部が相対的に枠体に沿って移動し、第１の遮蔽部の第２の側面遮蔽部と第２の遮蔽部の第２の側面遮蔽部が当接すると共に、第１の遮蔽部の第１の側面遮蔽部が第１の中間遮蔽部の第１の中間側面遮蔽部に当接すると共に第１の中間遮蔽部の第２の中間側面遮蔽部が前記第２の遮蔽部の第１の側面遮蔽部に当接することによって、通風及び視覚的遮蔽状態が達成され、
前記第１の遮蔽部、第１の中間遮蔽部及び第２の遮蔽部且つ第３の遮蔽部、第２の中間遮蔽部及び第４の遮蔽部が相対的に枠体に沿って移動し、第１の遮蔽部及び前記第３の遮蔽部のそれぞれの第１の側面遮蔽部が当接し、第２の遮蔽部及び第４の遮蔽部と第２１の側面遮蔽部が当接すると共に、それぞれの第２の側面遮蔽部とそれと対峙するそれぞれの第１の中間遮蔽部との間の所定の隙間が形成されることによって、通風開放及び視覚的遮蔽状態が達成されることを特徴とする請求項３記載の面格子装置。
【請求項５】
前記中間遮蔽部が複数配されることを特徴とする請求項３記載の面格子装置。
【請求項６】
前記第１，第２、第３及び第４の遮蔽部の正面遮蔽部は、前記枠体の沿った方向に対して傾斜していることを特徴とする請求項１又は２記載の面格子装置。
【請求項７】
前記第１，第２、第３及び第４の遮蔽部は、断面円弧形状に形成され、実質的に枠体の沿った方向の成分からなる正面遮蔽部と、実質的に該正面遮蔽部の一方に位置する枠体の垂直方向の成分からなる第１の側面遮蔽部と、実質的に該正面遮蔽部の他方に位置する枠体の垂直方向の成分からなる第２の側面遮蔽部とをそれぞれ具備することを特徴とする請求項１又は２記載の面格子装置。
【発明の詳細な説明】
【技術分野】
【０００１】
この発明は、通風及び視覚的開閉を行うことのできる武者窓式の面格子装置に関する。
【背景技術】
【０００２】
特許文献１に開示される連動型面格子は、複数個の立桟を上下の横枠内に前後に組み込み、前列の立桟は上下枠に固定し、後列の立桟のみ左右に連動でき、前列の立桟と立桟の隙間を後列の立桟が塞ぐことを特徴とするものである。
【０００３】
特許文献２に開示される面格子装置は、窓部の正面に立体状に突出して固定され、正面枠部とこれに連設された側枠部とを有する支持枠体と、正面枠部に上下側が枢着されてそれぞれ縦に平行して併設配置され、同期回動して正面枠部を縦格子状の通風状態と遮蔽状態とに選択的に変化させる複数の可動ルーバ板と、側枠部に上下側が枢着され、回動して同側枠部を通風状態と遮蔽状態に選択的に変化させる側扉と、可動ルーバ板と側扉を、それぞれ同期して回動させ、正面枠部と側枠部との通風開放状態と遮蔽状態を同時に行わせる回動連係機構とを備えるものである。
【０００４】
特許文献３に開示される可動式目隠しは、枠体の内部に、一定間隔に並べて配置された複数本の固定縦桟と、固定縦桟の並び方向に移動可能となる複数本の可動縦桟を設け、この可動縦桟が、開位置で固定縦桟とラップし、閉位置で固定縦桟間に位置するようにしたものである。
【特許文献１】実開昭６２−５２６８９号公報
【特許文献２】実用新案登録第３０７５６１８号公報
【特許文献３】特開２００４−１９４１０号公報
【発明の開示】
【発明が解決しようとする課題】
【０００５】
特許文献１及び３に示されるような従来から有る武者窓式のスライド機構は、二群に分かれた板の片方がずれて等ピッチの間隔、連続したスリットを形成したり、スリット全体を遮蔽状態にしたりすることで、外部から室内に入る日差しの量を調整したり、通行人の視線を適度に遮蔽したり、通風の量を調整する建具として活用されてきた。また、特許文献２に開示されるように可動ルーバ板が開閉することによって、上述した武者窓式と同様の効果を得るものであった。
【０００６】
しかし、上述した構成では、視覚的遮蔽と通風の遮蔽とが同時であることから、視覚的に遮蔽され且つ通風を得たい場合には、対応できないという不具合があった。
【０００７】
したがって、この発明は、視覚的な開閉と共に通風状態も選択できる面格子装置を提供することにある。
【課題を解決するための手段】
【０００８】
よって、この発明は、異なる２つの空間の境界線に配される枠体と、該枠体内に所定の間隔で複数配される面格子部とによって構成される面格子装置において、前記面格子部は、前記枠体の対向する辺にわたって延出する第１の立桟部と第２の立桟部が所定の間隔で交互に配されて構成されると共に、前記第１の立桟部は、枠体に沿って相対的に移動可能である第１の遮蔽部及び第２の遮蔽部からなり、前記第１の遮蔽部は、枠体に沿った方向に実質的に所定の幅を有する正面遮蔽部、該正面遮蔽部の一方の側辺から実質的に枠体に垂直な方向に第１の幅で延出する第１の側面遮蔽部及び前記正面遮蔽部の他方の側辺から実質的に枠体に垂直な方向に前記第１の幅よりも短い第２の幅で延出する第２の側遮蔽部からなり、前記第２の遮蔽部は、該第１の遮蔽部と同一の構造であると共に該第１の遮蔽部に対して点対称に配置され、前記第２の立桟部は、前記第１の立桟部と同一構造で且つ線対称に配され、第１の遮蔽部と線対称である第３の遮蔽部と、前記第２の遮蔽部と線対称である第４の遮蔽部とを具備することにある。
【０００９】
また、本発明は、前記第１の遮蔽部及び第２の遮蔽部且つ第３の遮蔽部及び第４の遮蔽部が、枠体に垂直方向に重なり合うことによって、通風及び視覚的開放状態が達成され、前記第１の遮蔽部及び第２の遮蔽部且つ第３の遮蔽部及び第４の遮蔽部が相対的に移動し、第１の遮蔽部及び第２の遮蔽部の第１の側面遮蔽部且つ第３の遮蔽部及び第４の遮蔽部のそれぞれの第１の側面遮蔽部が接触する共に第１の遮蔽部及び第３の遮蔽部のそれぞれの第２の側面遮蔽部且つ第２の遮蔽部及び第４の遮蔽部のそれぞれの第２の側面遮蔽部が当接することによって、通風及び視覚的遮蔽状態が達成され、前記第１の遮蔽部及び第２の遮蔽部且つ第３の遮蔽部及び第４の遮蔽部が相対的に移動し、第１の遮蔽部及び第３の遮蔽部の第１の側面遮蔽部が接触すると共に、第２の遮蔽部及び第４の遮蔽部の第１の側面遮蔽部が接触するように移動して、それぞれの第２の側面遮蔽部が対峙する場所に所定の開口部を形成することによって、通風開放及び視覚的遮蔽状態が達成されるものである。
【００１０】
さらに、この発明において、前記第１の立桟部は、第１の遮蔽部及び第２の遮蔽部の間に、少なくとも１つの第１の中間遮蔽部を有し、該第１の中間遮蔽部は、前記第１の遮蔽部の第２の側面遮蔽部側へ延出する第１の中間側面遮蔽部と、前記第２の遮蔽部の第２の側面遮蔽部側へ延出する第２の中間側面遮蔽部とを具備し、前記第２の立桟部は、前記第１の中間遮蔽部と線対称に配置された第２の中間遮蔽部を第３の遮蔽部及び第４の遮蔽部の間に有することが望ましい。
【００１１】
さらにまた、前記第１の遮蔽部、第１の中間遮蔽部及び第２の遮蔽部且つ第３の遮蔽部、第２の中間遮蔽部及び第４の遮蔽部が、枠体に垂直方向に重なり合うことによって、通風及び視覚的開放状態が達成され、前記第１の遮蔽部、第１の中間遮蔽部及び第２の遮蔽部且つ第３の遮蔽部、第２の中間遮蔽部及び第４の遮蔽部が相対的に枠体に沿って移動し、第１の遮蔽部の第２の側面遮蔽部と第２の遮蔽部の第２の側面遮蔽部が当接すると共に、第１の遮蔽部の第１の側面遮蔽部が第１の中間遮蔽部の第１の中間側面遮蔽部に当接すると共に第１の中間遮蔽部の第２の中間側面遮蔽部が前記第２の遮蔽部の第１の側面遮蔽部に当接することによって、通風及び視覚的遮蔽状態が達成され、前記第１の遮蔽部、第１の中間遮蔽部及び第２の遮蔽部且つ第３の遮蔽部、第２の中間遮蔽部及び第４の遮蔽部が相対的に枠体に沿って移動し、第１の遮蔽部及び前記第３の遮蔽部のそれぞれの第１の側面遮蔽部が当接し、第２の遮蔽部及び第４の遮蔽部と第２１の側面遮蔽部が当接すると共に、それぞれの第２の側面遮蔽部とそれと対峙するそれぞれの第１の中間遮蔽部との間の所定の隙間が形成されることによって、通風開放及び視覚的遮蔽状態が達成されることが望ましい。
【００１２】
さらにまた、前記中間遮蔽部が複数配されることが望ましい。これによって、第１の立桟部と第２の立桟部の間を大きくすることが可能となる。また、第１の遮蔽部及び第２の遮蔽部の間、さらには第２の遮蔽部及び第３の遮蔽部の間、第３の遮蔽部及び第４の遮蔽部の間、第４の遮蔽部と第１の遮蔽部の間に、中間遮蔽部を連続的に噛み合わせて延出させることによって、第１、第２、第３及び第４の遮蔽部の位置によって、通風及び視覚的遮蔽状態、又は通風開放及び視覚的遮蔽状態を達成することが可能となるものである。さらにまた、第１、第２、第３及び第４の遮蔽部の当接位置又は状態、さらには中間遮蔽部の位置によって、開放状態を変化させることも可能となるものである。
【００１３】
また、前記第１，第２、第３及び第４の遮蔽部の正面遮蔽部は、前記枠体の沿った方向に対して傾斜している者であっても良い。さらに、前記第１，第２、第３及び第４の遮蔽部は、断面円弧形状に形成され、実質的に枠体の沿った方向の成分からなる正面遮蔽部と、実質的に該正面遮蔽部の一方に位置する枠体の垂直方向の成分からなる第１の側面遮蔽部と、実質的に該正面遮蔽部の他方に位置する枠体の垂直方向の成分からなる第２の側面遮蔽部とをそれぞれ具備するものであっても良い。
【発明の効果】
【００１４】
よって、この発明によれば、少なくとも通風及び視覚的開放状態、通風及び視覚的遮断状態の他に、通風開放及び視覚的遮断状態を確保できるという効果を奏する。また、中間遮蔽部を設けることによって、第１及び第２の立桟部の間隔を広く取ることができるという効果も奏する。
【発明を実施するための最良の形態】
【００１５】
以下、この発明の実施例について図面により説明する。
【実施例１】
【００１６】
本願発明に係る面格子装置１００は、例えば２つの空間、室外と室内又は隣の部屋同士等の境界である開口に設けられる窓、扉１０１に設けられるものである。この実施例では、室内用扉１０１に設けた状態が図1に示される。
【００１７】
前記面格子装置１００は、室内用扉１０１の周囲を構成する枠体１０２によって画成される開口部５０に所定の間隔で対向する枠体１０２の辺１０２Ａ，１０２Ｂに沿って交互に配される第１の立桟部１０と第２の立桟部２０と、これら第１の立桟部１０と第２の立桟部２０とを前記枠体の辺１０２Ａ，１０２Ｂに沿って移動させる図示しない移動機構とによって構成される。この移動機構は手動、電動のどちらでもよく、手動、電動による動力によって下記する構成要素が必要に応じて移動するものである。
【００１８】
第１の立桟部１０は、第１の遮蔽部１と、この第２の遮蔽部と断面的に点対称である第２の遮蔽部２とによって構成される。実施例１では、図２（ａ），（ｂ），（ｃ）に示すように、前記第１の遮蔽部１は、前記開口部５０に対して所定の間隔の幅を有する正面遮蔽部１１と、この正面遮蔽部１１の一方の縁辺から枠体１０２の垂直方向（以下、垂直方向）に所定の幅で延出する第１の側面遮蔽部１２と、前記正面遮蔽部１１の他方の縁辺から前記垂直方向に前記第１の側面遮蔽部１２よりも短い幅で延出する第２の側面遮蔽部１３とによって構成される。また、前記第２の遮蔽部２は、前記第１の遮蔽部１と断面形状が点対称に構成されるもので、前記第１の遮蔽部の正面遮蔽部１１に対応する正面遮蔽部２１と、前記第１の遮蔽部１の第１の側面遮蔽部１２と対応する第１の側面遮蔽部２２と、第１の遮蔽部１の第２の側面遮蔽部１２と対応する第２の側面遮蔽部２３とを有する。
【００１９】
第２の立桟部２０は、前記第１の立桟部１０と断面形状が線対称に配置されるもので、第１の遮蔽部１と線対称である第３の遮蔽部３と、第２の遮蔽部２と線対称である第４の遮蔽部４とによって構成される。したがって、第３の遮蔽部３は、正面遮蔽部３１と、正面遮蔽部３１の他方の側であって前記枠体１０２に沿った方向（以下、横方向）において前記第１の側面遮蔽部１２と対峙する位置に形成される第１の側面遮蔽部３２と、正面遮蔽部３１の一方の側であって前記横方向において前記第２の側面遮蔽部１３と対峙する位置に形成される第２の側面遮蔽部３３とによって構成され、第４の遮蔽部４は、前記第３の遮蔽部３と点対称、前記第２の遮蔽部２と線対称に形成され、正面遮蔽部４１と、正面遮蔽部４１の他方の側であって前記横方向において前記第１の側面遮蔽部２２と対峙する位置に形成される第１の側面遮蔽部４２と、正面遮蔽部４１の一方の側であって前記横方向において前記第２の側面遮蔽部２３と対峙する位置に形成される第２の側面遮蔽部４３とによって構成される。
【００２０】
以上の構成の面格子装置１００において、図２（ａ）で示すように、第１の遮蔽部１と第２の遮蔽部２、第３の遮蔽部３と第４の遮蔽部４が前記垂直方向において重複する位置に移動することによって、開口部５０が所定の間隔で開放され、通風及び視覚的開放状態を得ることができるものである。
【００２１】
また、図２（ｂ）で示すように、第１の遮蔽部１の第１の側面遮蔽部１２と第２の遮蔽部２の第１の側面遮蔽部２２を当接させ、第１の遮蔽部１の第２の側面遮蔽部１３と第３の遮蔽部３の第２の側面遮蔽部３３とを当接させ、さらに第３の遮蔽部３の第１の側面遮蔽部３２と第４の遮蔽部４の第１の側面遮蔽部３２を当接させ、第２の遮蔽部２の第２の側面遮蔽部２３と第４の遮蔽部４の第２の側面遮蔽部４３とを当接させるように、前記第１、第２、第３及び第４の遮蔽部１，２，３，４を移動させることによって、前記開口部５０を全て閉塞することができるため、通風及び視覚的遮蔽状態を得ることができるものである。
【００２２】
さらに、図３（ｂ）で示すように、第１の遮蔽部１の第１の側面遮蔽部１２と第３の遮蔽部３の第１の側面遮蔽部３２とを当接させ、さらに第２の遮蔽部２の第１の側面遮蔽部２２と第４の遮蔽部４の第２の側面遮蔽部４２とを当接させるように、前記第１、第２、第３及び第４の遮蔽部１，２，３，４を移動させることによって、それぞれの遮蔽部の第２の側面遮蔽部１３，２３及び３３，４３の間に、開口部５１を画成することができることから、通風開放及び視覚的遮蔽状態を得ることができるものである。
【００２３】
尚、それぞれの遮蔽部が完全に移動した状態について説明したが、その途中で移動を停止させることによって、通風及び視覚的状態を線形で変化させることが可能なることはもちろんである。
【実施例２】
【００２４】
図３（ａ），（ｂ），（ｃ）で示される実施例２に係る面格子装置は、上述した実施例１と同様の構造を有する第１の遮蔽部１と第２の遮蔽部２の間に、第１の中間遮蔽部６を配し、この第１の中間遮蔽部６と線対称な断面を有する第２の中間遮蔽部７を、前記第３の遮蔽部３と第４の遮蔽部４の間に配したことを特徴とするものである。
【００２５】
この第１の中間遮蔽部６は、前記正面遮蔽部１１，２１と同一の幅を有する中間正面遮蔽部６１と、この中間正面遮蔽部６１の他方の縁辺から前記垂直方向に延出して前記第１の遮蔽部１の第２の側面遮蔽部１３と第２の遮蔽部２の第１の側面遮蔽部２２の間に延出する第１の中間側面遮蔽部６２と、前記中間正面遮蔽部６１の一方の縁辺から前記垂直方向に延出して前記第１の遮蔽部１の第１の側面遮蔽部１２と第２の遮蔽部２の第２の側面遮蔽部２３の間に延出する第２の中間側面遮蔽部６３とによって構成される。
【００２６】
前記第２の中間遮蔽部７は、前記正面遮蔽部３１，４１と同一の幅を有する中間正面遮蔽部７１と、この中間正面遮蔽部７１の一方の縁辺から前記垂直方向に延出して前記第３の遮蔽部１の第２の側面遮蔽部３３と第４の遮蔽部４の第１の側面遮蔽部４２の間に延出する第１の中間側面遮蔽部７２と、前記中間正面遮蔽部７１の他方の縁辺から前記垂直方向に延出して前記第３の遮蔽部３の第１の側面遮蔽部３２と第４の遮蔽部４の第２の側面遮蔽部４３の間に延出する第２の中間側面遮蔽部７３とによって構成される。
【００２７】
以上の構成の面格子装置１００において、図３（ａ）で示すように、第１の遮蔽部１、第１の中間遮蔽部６及び第２の遮蔽部２且つ第３の遮蔽部３、第２の中間遮蔽部７及び第４の遮蔽部４が前記垂直方向において重複する位置に移動することによって、開口部５０が所定の間隔で開放され、通風及び視覚的開放状態を得ることができるものである。
【００２８】
また、図３（ｂ）で示すように、前記第１の中間遮蔽部６を中心として第１の遮蔽部１の第１の側面遮蔽部１２が第１の中間遮蔽部６の第１の中間側面遮蔽部６２に当接するように移動すると共に第１の遮蔽部１の第２の側面遮蔽部１３が第３の遮蔽部３の第２の側面遮蔽部３３と当接し、また第２の遮蔽部２の第１の側面遮蔽部２２が前記第１の中間遮蔽部６の第２の中間側面遮蔽部６３と当接するように移動すると共に第２の遮蔽部２の第２の側面遮蔽部２３が第４の遮蔽部４の第２の側面遮蔽部４３と当接し、また第３の遮蔽部３及び第４の遮蔽部４が上記状態を達成するように移動することによって、前記開口部５０の垂直方向を全閉することができ、通風及び視覚的遮蔽状態を得ることができるものである。
【００２９】
また、図３（ｃ）で示すように、第１、第２、第３及び第４の遮蔽部１，２，３，４を前記第１及び第２の中間遮蔽部６，７に対して、図３（ｂ）で示す方向と逆方向に移動させ、第１及び第３の遮蔽部１，３の第１の側面遮蔽部１２，３２を当接させ、第２及び第４の遮蔽部２，４の第１の側面遮蔽部２２，４２を当接させることによって、第１の遮蔽部１の第２の側面遮蔽部１３と第１の中間遮蔽部６と間、第２の遮蔽部２の第２の側面遮蔽部２３と第１の中間遮蔽部６との間、第３の遮蔽部３の第２の側面遮蔽部３３と第２の中間遮蔽部７と間、第４の遮蔽部４の第２の側面遮蔽部４３と第２の中間遮蔽部７との間に、開口部５２を形成できるため、通風開放及び視覚的遮蔽状態を得ることができるものである。
【００３０】
尚、この実施例２において、移動を途中で停止させることによって、開口状態を自由に可変することができるものである。
【実施例３】
【００３１】
図４（ａ），（ｂ），（ｃ），（ｄ）に示すように、実施例３に係る面格子装置は、実施例２に係る面格子装置の第１及び第２の中間遮蔽部６，７の数を２としたことを特徴とするものである。
【００３２】
よって、図４（ａ）で示すように、第１の遮蔽部１、２つの第１の中間遮蔽部６、第２の遮蔽部２、及び第３の遮蔽部３，２つの第２の中間遮蔽部７及び第４の遮蔽部４をそれぞれ垂直方向に重複させるように配置させることによって、開口部５０が開放させるので、通風及び視覚的開放状態を得ることができるものである。
【００３３】
また、図４（ｂ）で示すように、隣り合う第１の遮蔽部１及び第３の遮蔽部３を、それぞれの第２の側面遮蔽部１３，３３が当接するように移動させ、隣り合う第２の遮蔽部２及び第４の遮蔽部４を、それぞれの第２の側面遮蔽部２３，４３が当接するように移動させ、それぞれの第１の中間遮蔽部６，６及び第２の中間遮蔽部７，７の第１及び第２の中間側面遮蔽部６２，６３，７２，７３が、対応するそれぞれの第１の側面遮蔽部１２，２２，３２，４２と当接して移動し、開口部５０を完全に閉塞する。これによって、通風及び視覚的遮断状態を得ることができるものである。
【００３４】
さらに、図４（ｃ）で示すように、図４（ｂ）で示す状態と反対方向に、第１の遮蔽部１、第２の遮蔽部２、第３の遮蔽部３、第４の遮蔽部４、第１の中間遮蔽部６及び第２の中間遮蔽部７を移動させることによって、第１の遮蔽部１及び第２の遮蔽部２と２つの第１の中間遮蔽部６，６の間、且つ第３の遮蔽部３及び第４の遮蔽部４と２つの第２の中間遮蔽部７，７との間に空間５３が形成され、これによって通風開放及び視覚的遮断状態を得ることができるものである。
【００３５】
またこの実施例３では、図４（ｄ）で示すように、図４（ｂ）で示すような第１及び第２の中間遮蔽部６，６，７，７の配置に対して、第１の遮蔽部１及び第２の遮蔽部２、第３の遮蔽部３及び第４の遮蔽部４をそれぞれ反対側に移動させることによって、第１の遮蔽部１と連続する第１の中間遮蔽部６，６の間、連続した第１の中間遮蔽部６，６と第２の遮断部２との間、第３の遮蔽部３と連続する第２の中間遮蔽部７，７の間、連続した第２の中間遮蔽部７，７と第４の遮断部４との間に開口部５４が画成され、図４（ｃ）で示した状態よりも広い開口面積を確保することができる。これによって、前述した状態よりも広い通風開放が得られるものである。
【実施例４】
【００３６】
図５（ａ），（ｂ），（ｃ），（ｄ）では、実施例４に係る面格子装置が開示される。この面格子装置は、前述した実施例３に係る面格子装置に対して、第１及び第２の中間遮蔽部６、７がそれぞれ３つずつ配置されることを特徴とするものである。このように、実施例１の面格子装置における第１及び第２の立桟部１０，２０の間隔に対して、第１及び第２の中間遮蔽部６，７の数を増やすことによって、第１及び第２の立桟部１０，２０の間隔を大きくすることができるものである。
【００３７】
図５（ａ），（ｂ），（ｃ），（ｄ）に示される実施例４に係る面格子装置は、その動作においては図４（ａ），（ｂ），（ｃ），（ｄ）に示される実施例３に係る面格子装置と第１及び第２の中間遮蔽部の数を除いて同一である。このため、実施例３における第１及び第２の立桟部１０，２０の間隔よりも中間遮蔽部１つ分広い間隔を達成することができる。また、中間遮蔽部の数によって図４（ｃ）で示す開口部５５の数を増やすことができ、さらに図４（ｄ）で示す開口部５６の幅を大きくすることができるものである。
【実施例５】
【００３８】
図６（ａ），（ｂ），（ｃ）に示される実施例５に係る面格子装置は、実施例1に係る面格子装置において、第１、第２、第３及び第４の遮蔽装置１，２，３，４のそれぞれの正面遮蔽部１１，２１，３１，４１を横方向に対して傾斜させたことを特徴とするものである。これによって実施例１の面格子装置と同一の動作によって、図６（ａ）で示される通風及び視覚的開放状態、図６（ｂ）で示される通風及び視覚的遮蔽状態、図６（ｃ）で示される通風開放及び視覚的遮蔽状態を得ることができるものである。尚、同一箇所又は同一の効果を奏する箇所には実施例１と同一の符号を付してその説明を省略する。
【実施例６】
【００３９】
図７（ａ），（ｂ），（ｃ），（ｄ）に示される実施例６に係る面格子装置は、第１、第２、第３及び第４の遮蔽部１，２，３，４がそれぞれ円弧状に形成され、実質的に横方向の成分を有する実質的正面遮蔽部１１，２１，３１，４１と、実質的正面遮蔽部１１，２１，３１，４１の一方の縁辺から垂直方向に延出する成分を有する第１の実質的側面遮蔽部１２，２２，３２，４２と、この第１の実質的側面遮蔽部１２，２２，３２，４２よりも短い幅で前記実質的正面遮蔽部１１，２１，３１，４１の他方の縁辺から垂直方向に延出する成分を有する第２の実質的側面遮蔽部１３，２３，３３，４３を具備するものである。
【００４０】
これによって実施例１の面格子装置と同一の動作によって、図７（ａ）で示される通風及び視覚的開放状態、図７（ｂ）で示される通風及び視覚的遮蔽状態、図７（ｃ）で示される通風開放及び視覚的遮蔽状態を得ることができるものである。
【図面の簡単な説明】
【００４１】
【図１】本願発明に係る面格子装置が設けられた室内扉を示した説明図である。
【図２】本願発明の実施例１に係る面格子装置の説明図であり、（ａ）はその通風及び視覚的開放状態、（ｂ）は通風及び視覚的遮蔽状態、（ｃ）は通風開放及び視覚的遮蔽状態を示した図である。
【図３】本願発明の実施例２に係る面格子装置の説明図であり、（ａ）はその通風及び視覚的開放状態、（ｂ）は通風及び視覚的遮蔽状態、（ｃ）は通風開放及び視覚的遮蔽状態を示した図である。
【図４】本願発明の実施例３に係る面格子装置の説明図であり、（ａ）はその通風及び視覚的開放状態、（ｂ）は通風及び視覚的遮蔽状態、（ｃ）は第１の通風開放及び視覚的遮蔽状態、（ｄ）は第２の通風開放及び視覚的遮蔽状態を示した図である。
【図５】本願発明の実施例４に係る面格子装置の説明図であり、（ａ）はその通風及び視覚的開放状態、（ｂ）は通風及び視覚的遮蔽状態、（ｃ）は第１の通風開放及び視覚的遮蔽状態、（ｄ）は第２の通風開放及び視覚的遮蔽状態を示した図である。
【図６】本願発明の実施例５に係る面格子装置の説明図であり、（ａ）はその通風及び視覚的開放状態、（ｂ）は通風及び視覚的遮蔽状態、（ｃ）は通風開放及び視覚的遮蔽状態を示した図である。
【図７】本願発明の実施例６に係る面格子装置の説明図であり、（ａ）はその通風及び視覚的開放状態、（ｂ）は通風及び視覚的遮蔽状態、（ｃ）は通風開放及び視覚的遮蔽状態を示した図である。
【符号の説明】
【００４２】
１  第１の遮蔽部
２  第２の遮蔽部
３  第３の遮蔽部
４  第４の遮蔽部
６  第１の中間遮蔽部
７  第２の中間遮蔽部
１０  第１の立桟部
１１,２１，３１，４１  正面遮蔽部
１２，２２，３２，４２  第１の側面遮蔽部
１３，２３，３３，４３  第２の側面遮蔽部
２０  第２の立桟部
５０  開口部
５１，５２，５３，５４，５５，５６  開口部
６１，７１  中間正面遮蔽部
６２，７２  第１の中間側面遮蔽部
６３，７３  第２の中間側面遮蔽部
１００  面格子装置
１０１  扉
１０２  枠体
１０２Ａ，１０２Ｂ  辺  
【図１】
2009057785.tif 000003
【図２】
2009057785.tif 000004
【図３】
2009057785.tif 000005
【図４】
2009057785.tif 000006
【図５】
2009057785.tif 000007
【図６】
2009057785.tif 000008
【図７】
2009057785.tif 000009